(57)【要約】【課題】表示方法を選択する際の手間を軽減する方法を提供すること。【解決手段】表示装置は、外部機器から画像信号の入力を受け付ける複数の入力部と、入力された画像信号に基づいて表示部を制御する制御部とを有する。制御部は、複数の入力部に入力された画像信号に付加された付加情報に基づいて決定された複数の対象表示方法のうち、いずれかの表示方法をユーザに選択させるための選択画像を画面に表示するように、表示部を制御し、指示部を用いてユーザが選択した表示方法を用いて前記入力された画像信号に基づく画像を前記画面に表示するように、前記表示部を制御する。【選択図】図３
2019168600.tif 000002
【特許請求の範囲】
【請求項１】
画面に画像を表示する表示部と、
外部機器から画像信号の入力を受け付ける複数の入力部と、
ユーザの指示を入力するための指示部と、
前記入力された画像信号に基づいて前記表示部を制御する制御部と、
を備え、
前記制御部は、
前記複数の入力部に入力された画像信号に付加された付加情報に基づいて決定された複数の対象表示方法のうち、いずれかの表示方法をユーザに選択させるための選択画像を前記画面に表示するように、前記表示部を制御し、
前記指示部を用いてユーザが選択した表示方法を用いて前記入力された画像信号に基づく画像を前記画面に表示するように、前記表示部を制御することを特徴とする表示装置。
【請求項２】
前記制御部は、前記制御部が前記表示部を制御することが可能な複数の表示方法のうち、前記複数の入力部に入力された画像信号に付加された前記付加情報に基づいて前記複数の対象表示方法を選定することを特徴とする請求項１に記載の表示装置。
【請求項３】
前記付加情報は、前記画像信号を送信する時に使用された伝送規格に関する規格情報を含むことを特徴とする請求項１または２に記載の表示装置。
【請求項４】
前記付加情報は、前記画像信号の解像度情報又はフレームレートに関する情報を含むことを特徴とする請求項１乃至請求項３のいずれか１項に記載の表示装置。
【請求項５】
前記制御部は、前記複数の入力部に入力された画像信号の中に複数の同一の画像信号が含まれる場合に、前記複数の同一の画像信号の中の１の画像信号を用いる表示方法を前記対象表示方法として選定し、前記複数の同一の画像信号の中の他の画像信号を用いる表示方法を前記対象表示方法として選定しないことを特徴とする請求項１乃至請求項４のいずれか１項に記載の表示装置。
【請求項６】
前記付加情報は、前記画像信号の送信元の外部機器の識別情報と、前記画像信号を出力した該外部機器の送出端子の種別情報とを含み、
前記制御部は、２つの画像信号の信号情報の中に、同一の外部機器の識別情報が含まれ、かつ同じ種別の送出端子の種別情報が含まれる場合に、前記２つの画像信号が同一の画像信号であると判定することを特徴とする請求項５に記載の表示装置。
【請求項７】
前記制御部は、複数の画像信号を用いて１つの画像を生成する表示方法と、前記複数の画像信号の中の１の画像信号を用いて１つの画像を生成する表示方法と、のいずれの表示方法でも画像を画面に表示することが可能である場合に、前記複数の画像信号を用いて１つの画像を生成する表示方法を前記対象表示方法として選定し、前記複数の画像信号の中の１の画像信号を用いて１つの画像を生成する表示方法を前記対象表示方法として選定しないことを特徴とする請求項１乃至請求項６のいずれか１項に記載の表示装置。
【請求項８】
前記制御部は、複数の画像信号を用いて１つの画像を生成する表示方法で用いられる画像信号の中の一部の画像信号が前記複数の入力部に入力された場合に、前記一部の画像信号を用いて１つの画像を生成する表示方法と、前記一部の画像信号の中の１の画像信号を用いて１つの画像を生成する表示方法と、を前記対象表示方法として選定することを特徴とする請求項１乃至請求項７のいずれか１項に記載の表示装置。
【請求項９】
前記制御部は、複数の画像信号を用いて１つの画像を生成する表示方法で用いられる画
像信号の中の一部の画像信号が前記複数の入力部に入力された場合に、不足する画像信号を特定し、
前記制御部は、前記不足する画像信号に関する情報を前記画面に表示することを特徴とする請求項８に記載の表示装置。
【請求項１０】
前記制御部は、前記複数の画像信号の中に異なる複数の画像信号が含まれる場合に、さらに、前記異なる複数の画像信号に基づくそれぞれの画像を、前記画面に並列に表示する表示方法を前記対象表示方法として選定することを特徴とする請求項１乃至請求項９のいずれか１項に記載の表示装置。
【請求項１１】
前記制御部は、前記選択画像を前記画像信号に基づく画像に重畳させて表示するように、前記表示部を制御することを特徴とする請求項１乃至請求項１０のいずれか１項に記載の表示装置。
【請求項１２】
前記制御部は、前記複数の対象表示方法を、あらかじめ定められた優先度に応じて並べた前記選択画像を前記画面に表示するように、前記表示部を制御することを特徴とする請求項１乃至請求項１１のいずれか１項に記載の表示装置。
【請求項１３】
画面に画像を表示する表示部と、外部機器から画像信号の入力を受け付ける複数の入力部と、を有する表示装置の制御方法であって、
前記複数の入力部に入力された画像信号に付加された付加情報に基づいて決定された複数の対象表示方法のうち、いずれかの表示方法をユーザに選択させるための選択画像を前記画像に表示するように、前記表示部を制御するステップと、
ユーザが選択した表示方法を用いて前記入力された画像信号に基づく画像を前記画面に表示するように、前記表示部を制御するステップと、
を有することを特徴とする表示装置の制御方法。
【請求項１４】
請求項１３に記載の表示装置の制御方法の各ステップをコンピュータに実行させるためのプログラム。
【発明の詳細な説明】
【技術分野】
【０００１】
本発明は、表示装置に関し、特に複数の入力端子から入力された画像信号の表示方法を制御する表示装置に関するものである。
【背景技術】
【０００２】
近年では映像の高解像度化や高フレームレート化に対応するため、従来の伝送規格に加えて新しい伝送規格が利用されている。例えば、映像技術に関する標準規格ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ
Ｅｎｇｉｎｅｅｒｓ）で規格化されたＳＭＰＴＥ  ＳＴ  ３７２がある。ＳＭＰＴＥ  ＳＴ  ３７２のＤｕａｌ  Ｌｉｎｋを利用すれば、２本のＳＤＩ（Ｓｅｒｉａｌ  Ｄｉｇｉｔａｌ  Ｉｎｔｅｒｆａｃｅ）信号で映像を伝送することができる。同様に、４本のＳＤＩ信号で映像を伝送するＱｕａｄ  Ｌｉｎｋや、ＲＡＷデータを複数のＳＤＩ信号にマッピングして伝送するＲＡＷ伝送がある。このように、複数の入力端子を備え、一の映像信号で一の映像を表示したり、複数の映像信号で一の映像を表示したりする等のように複数の表示方法で表示することが可能な表示装置が存在する。
【０００３】
さらに、複数の映像を同一画面内に表示するＰｂｙＰ（Ｐｉｃｔｕｒｅ  ｂｙ  Ｐｉｃｔｕｒｅ）映像を表示することが可能な表示装置も存在する。このように一つの表示装置において使用可能な表示方法が増えたため、ユーザは、複数の表示方法の中から使用する表示方法を選択する必要がある。
特許文献１には、入力信号の特性に応じてメニュー項目の配列を並び替えて表示する技術が開示されている。
【先行技術文献】
【特許文献】
【０００４】
【特許文献１】特開２０１６−０１８２４９号公報
【発明の概要】
【発明が解決しようとする課題】
【０００５】
しかしながら、特許文献１の技術を用いても、ユーザは、メニュー項目として表示された多くの表示方法の中から１の表示方法を選択する必要があり、煩雑である。
そこで、本発明は、表示方法を選択する際の手間を軽減する方法を提供することを目的とする。
【課題を解決するための手段】
【０００６】
本発明の第一態様は、画面に画像を表示する表示部と、外部機器から画像信号の入力を受け付ける複数の入力部と、ユーザの指示を入力するための指示部と、前記入力された画像信号に基づいて前記表示部を制御する制御部と、を備え、前記制御部は、前記複数の入力部に入力された画像信号に付加された付加情報に基づいて決定された複数の対象表示方法のうち、いずれかの表示方法をユーザに選択させるための選択画像を前記画面に表示するように、前記表示部を制御し、前記指示部を用いてユーザが選択した表示方法を用いて前記入力された画像信号に基づく画像を前記画面に表示するように、前記表示部を制御することを特徴とする表示装置を提供する。
本発明の第二態様は、画面に画像を表示する表示部と、外部機器から画像信号の入力を受け付ける複数の入力部と、を有する表示装置の制御方法であって、前記複数の入力部に入力された画像信号に付加された付加情報に基づいて決定された複数の対象表示方法のうち、いずれかの表示方法をユーザに選択させるための選択画像を前記画像に表示するよう
に、前記表示部を制御するステップと、ユーザが選択した表示方法を用いて前記入力された画像信号に基づく画像を前記画面に表示するように、前記表示部を制御するステップと、を有することを特徴とする表示装置の制御方法を提供する。
本発明の第三態様は、第二態様に記載の表示装置の制御方法の各ステップをコンピュータに実行させるためのプログラムを提供する。
【発明の効果】
【０００７】
本発明によれば、表示方法を選択する際の手間を軽減することができる。
【図面の簡単な説明】
【０００８】
【図１】表示システムの構成例を示す図である。
【図２】表示装置の構成例とメタデータの一例を示す図である。
【図３】実施例１の表示制御部の機能構成を示すブロック図である。
【図４】選択画像の表示例を示す図である。
【図５】表示方法の選択処理の流れを示す図である。
【図６】図５のステップＳ５０１の処理の詳細を示す図である。
【図７】実施例１における対象表示方法の選定処理を示す図である。
【図８】実施例２の表示制御部の機能構成を示すブロック図である。
【図９】表示方法を並び替えた後の選択画像の例を示す図である。
【図１０】実施例２における対象表示方法の選定処理を示す図である。
【図１１】実施例３の表示制御部の機能構成を示すブロック図である。
【図１２】不完全な複数信号映像の場合の選択画像の表示例を示す図である。
【図１３】実施例３における対象表示方法の選定処理を示す図である。
【発明を実施するための形態】
【０００９】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【００１０】
＜実施例１＞
（表示システムの構成）
図１Ａ及び図１Ｂは、表示システムの構成例を示す図である。表示システムは、表示装置１００と、表示装置１００に映像信号を入力（送信）する１又は複数の外部機器により構成される。図１Ａ及び図１Ｂでは外部機器の一例として撮像装置を示している。
【００１１】
図１Ａは、撮像装置１０と表示装置１００の第１の構成例である。図１Ａの例では、表示装置１００に１つの撮像装置１０が接続されており、撮像装置１０から表示装置１００に複数（図１では４つ）の伝送路を介して映像信号が送信される。撮像装置１０は、４つの伝送路を全て使って映像信号を送信しても、４つの伝送路のうちの一部の伝送路を使って映像信号を送信してもよい。また、表示装置１００は、１又は複数の伝送路から入力された映像信号に基づいて映像を表示することができる。
【００１２】
例えば、Ｄｕａｌ  Ｌｉｎｋ、Ｑｕａｄ  Ｌｉｎｋのように複数の映像信号に基づいて１の映像を表示させる場合、２つ又は４つの伝送路を使って映像信号が送信される。また、複数の伝送路を使って送信された複数の映像信号に基づいて１画面に複数の映像を並列に表示することも可能である。
以下では、１の映像信号を用いて１つの映像を生成する表示方法を単一信号映像表示という。また、複数の映像信号を用いて１つの映像を生成する表示方法を複数信号映像表示という。また、１画面を分割して複数の映像を１画面に並列して表示する表示方法をＰｂｙＰ表示という。
なお、表示方法とは、入力された１以上の映像信号のうち画像の表示に用いる映像信号、またはその映像信号が入力される入力端子を選択する選択方法、および、選択された映像信号を処理する処理方法のうち、少なくともいずれかを含むものであるとする。
【００１３】
また、図１Ｂは、撮像装置１０ａ、１０ｂと表示装置１００の第２の構成例である。図１Ｂの例では、表示装置１００に複数（図１Ｂでは２つ）の撮像装置１０ａ、１０ｂが接続されている。１つの伝送路を介して撮像装置１０ａから表示装置１００に映像信号が送信され、別の１の伝送路を介して撮像装置１０ｂから表示装置１００に映像信号が送信される。このように、表示装置１００は、複数の外部機器から映像信号を受信してもよい。
【００１４】
（表示装置）
図２Ａは、表示装置１００の構成例を示す図である。表示装置１００は、複数の入力部１０１ａ〜１０１ｄ、複数の取得部１０２ａ〜１０２ｄ、メモリ１０３、表示部１０４、操作部１０５、および表示制御部１１０を有する。
入力部１０１ａ〜１０１ｄは、外部装置から映像信号を入力するための入力端子である。入力部１０１ａ〜１０１ｄは、映像技術に関する標準規格ＳＭＰＴＥに定められた映像信号１〜４（画像信号）を送信元の撮像装置１０から受信するとする。また、入力部１０１ａ〜１０１ｄは、受信した映像信号をそれぞれ対応する取得部１０２ａ〜１０２ｄ、および表示部１０４に出力する。なお、入力部１０１ａ〜１０１ｄは、ＳＭＰＴＥ以外の規格の映像信号を受信してもよい。以後の説明において、複数の入力部１０１ａ〜１０１ｄを総称して「入力部１０１」と記す場合もある。
【００１５】
取得部１０２ａ〜１０２ｄは、それぞれ入力部１０１ａ〜１０１ｄで受信した映像信号から各種の信号情報（付加情報）を取得する。例えば、付加情報は、映像信号に付与されたペイロードＩＤに示されるＤｕａｌ  Ｌｉｎｋ、Ｑｕａｄ  Ｌｉｎｋ等の伝送規格（規格情報）を示す情報である。また、付加情報は、映像信号の解像度（解像度情報）、フレームレート等の信号フォーマット情報であってもよい。また、付加情報は、映像信号に含まれるメタデータに記載された送出機器ＩＤ、送出端子種別及び機器設定情報等のうちいずれかを示す情報であってもよい。なお、メタデータの例は図２Ｂに示される。
【００１６】
また、付加情報は、上述の情報以外の情報であってもよい。例えば、付加情報は、ＹＣｂＣｒやＲＧＢなどの色空間の情報やプログレッシブやインターレースなどの伝送方式の情報を取得してもよい。
そして、取得部１０２ａ〜１０２ｄは、映像信号から取得した付加情報を表示制御部１０３に出力する。以後の説明において、複数の取得部１０２ａ〜１０２ｄを総称して「取得部１０２」と記す場合もある。
【００１７】
表示部１０４は、後述する表示制御部１１０の制御に基づいて、画面に画像を表示する表示デバイスである。表示部１０４は、例えば、４Ｋ解像度の映像を表示可能な液晶パネル、バックライトおよび駆動回路基板を備えるディスプレイモジュールであるとする。表示部１０４は、ＭＥＭＳ（Ｍｉｃｒｏ  Ｅｌｅｃｔｒｏ  Ｍｅｃｈａｎｉｃａｌ  Ｓｙｓｔｅｍ）シャッター方式の表示パネルを備えるディスプレイモジュール、あるいは、有機ＥＬディスプレイモジュールであってもよい。
【００１８】
操作部１０５は、後述するように表示部１０４に表示された選択画像（ＧＵＩ）に示された複数の選択対象の表示方法のうち、いずれかをユーザが選択するための操作部材であ
る。例えば、操作部１０５は、表示部１０４の画面に設けられたタッチパネルであるとする。また、操作部１０５は、表示装置１００に設けられたボタンやジョイスティック等の操作部材であってもよい。また、操作部１０５は上述した部材を複数組み合わせたものであってもよい。操作部１０５を介してユーザが入力した操作、もしくは指示は、表示制御部１１０に入力される。
【００１９】
表示制御部１１０は、入力された複数の映像信号を用いて、設定された表示方法で画像を表示するように、表示部１０４を制御する。表示制御部１１０は、例えば、電子回路、プロセッサ、メモリ等を備える表示装置１００の制御回路基板であるとする。また、表示制御部１１０は、取得した付加情報に基づいて、ユーザが表示方法を選択するために表示部１０４に表示する選択画像を生成する。表示制御部１１０は、表示した選択画像に基づいてユーザが操作部１０５を介して入力した操作、指示に基づいて、表示方法を決定する。表示制御部１１０は、決定した表示方法に基づいて、入力された複数の映像信号を用いて表示部１０４に画像を表示させる。
【００２０】
表示装置１００は、外部機器から表示装置１００に入力された複数の映像信号に基づく画像を様々な表示方法で表示することが可能である。例えば、入力された複数の映像信号のうち、表示に用いる映像信号の選択、映像信号に適用する画像処理の選択、および、処理された映像信号を画面上でどのように配置するかの選択等、その組み合わせからなる表示方法の数は膨大である。ユーザは表示装置１００に設定可能な表示方法のうち、入力された映像信号に応じて最適な表示方法を選択して、設定する必要がある。
【００２１】
しかし、一方で、入力された映像信号によっては、選択対象の表示方法としては不適当である表示方法がある。例えば、入力部１０１ａに映像信号Ａが入力され、入力部１０１ｂに映像信号Ｂが入力され、他の入力部１０１ｃ、１０１ｄには映像信号が入力されない場合を考える。この場合、表示可能な表示方法としては、信号Ａの単一信号映像表示、信号Ｂの単一信号映像表示、信号ＡとＢによる複数信号映像表示、および信号ＡとＢのＰｂｙＰ表示がある。一方で、入力部１０１ｃ（または１０１ｄ）に入力された映像信号に基づく画像のみを画面に表示するというような表示方法は、映像信号が入力部１０１ｃに入力されていないことからユーザが選択する可能性は低い。
【００２２】
また、画像を表示可能であるが、ユーザが選択する可能性の低いと考えられる表示方法も存在する。例えば、上述の例で、映像信号Ａおよび映像信号Ｂが同一の映像信号である場合、映像信号Ａのみを用いて画像を表示する表示方法、および映像信号Ｂのみを用いて画像を表示する表示方法はいずれも同じ画像を表示するものであるから、いずれか一方の表示方法はユーザが選択する可能性が低い。
【００２３】
したがって、表示装置１００は入力映像信号を様々な表示方法により画面表示することが可能であるものの、その表示可能な全ての表示方法の中からユーザに希望の表示方法を選択させるというユーザインタフェースは、操作性が悪く、利便性が低い。
【００２４】
表示制御部１１０は、入力された複数の映像信号を用いて表示可能な全ての表示方法を常にユーザに提示するのではなく、表示可能な表示方法の中から一部の表示方法のみを選定し設定候補としてユーザに提示するモードをもつ。このように表示方法の選択肢を絞り込んでユーザに提示することにより、表示方法の選択がしやすくなるので、表示装置１００の操作性及び利便性を従来に比べて向上することができる。
【００２５】
具体的には、表示制御部１１０は、入力された映像信号に付加された付加情報に基づいて、設定可能な複数の表示方法のうち、入力された映像信号を用いて画像を表示可能な表示方法を特定する。さらに表示制御部１１０は、特定した表示方法のうち、さらに付加情
報に基づいて、ユーザの選択の対象とする１以上の対象表示方法を決定する。表示制御部１１０は、１以上の対象表示方法のうちいずれかをユーザが表示方法として選択するための選択画像（ＧＵＩ）を、画面に表示するように表示部１０４を制御する。
【００２６】
表示制御部１１０は、選択画像を表示した後で、ユーザが操作部１０５を介して入力した操作（指示）に応じた表示方法を、入力された映像信号に基づいて画像を表示するための表示方法として設定する。表示制御部１１０は設定された表示方法に基づいて、入力された映像信号を処理して、画像を表示部１０４に表示する。
【００２７】
なお、表示可能な全ての表示方法の中から対象表示方法を選定する際の選定基準（選定条件）は任意に決めることができる。例えば、ユーザが設定する可能性が高い表示方法を選定してもよい。ユーザが設定する可能性が高い表示方法は、これまでの入力された映像信号に付加された付加情報と、その時にユーザが設定した表示方法との組合せの頻度情報に基づいて経験的に決定されてもよい。また、ユーザがあらかじめ複数の表示方法のうち、優先度を設定することも可能である。表示方法と優先度との関連付けた情報は、メモリに記憶される。
【００２８】
あるいは、ユーザが設定する可能性が高い表示方法は、映像信号や表示装置１００の用途・目的などに基づいて、理論的に決めてもよい。例えば、一般的に、映像確認用や映像編集用に利用される表示装置１００の場合、ユーザが表示装置１００に映像を表示する目的は、映像信号の品質や仕様を確認する目的であることが多い。そのような場合、ユーザの希望は、表示装置１００に入力される映像信号の品質や仕様をできるだけ忠実に再現できる表示方法で映像信号を表示させたい、というものである可能性が高い。したがって、映像確認用や映像編集用に利用される表示装置１００の好ましい形態として、入力映像信号が有する品質や仕様の再現性が高い表示方法を優先的に選定する選定基準により、設定候補として提示する表示方法を選定するとよい。ここで、「品質」には、例えば、解像度、色域、フレームレート、ダイナミックレンジ、階調性などが含まれ、「仕様」には、Ｄｕａｌ  Ｌｉｎｋ、Ｑｕａｄ  Ｌｉｎｋなどが含まれる。「品質や仕様の再現性」とは、入力映像信号が有する品質や仕様と実際の表示における品質や仕様との一致度合であり、入力映像信号が有する品質や仕様どおりの表示を行う表示方法が、再現性が最も高い表示方法となる。一方、入力映像信号の解像度や色域などを変換した表示方法、Ｄｕａｌ  Ｌｉｎｋ用の映像信号を単一信号映像表示する方法などは、再現性が低い表示方法となる。このように、再現性の高い表示方法を優先的に選定することにより、ユーザが設定する可能性が高い表示方法を設定候補として提示できる蓋然性が高くなると期待できる。
【００２９】
図３は表示制御部１１０が有する機能を模式的に示すブロック図である。表示制御部１１０は、選定部Ａ１１１、選定部Ｂ１１２、ＧＵＩ生成部１１３、設定部１１４および画像処理部１１５を備える。これらの機能は、メモリ１０３又は不図示の記憶媒体に格納されたプログラムをワーキングメモリに展開し、プロセッサが当該プログラムを実行することにより実現されるものである。ただし、これらの機能のうちの全部又は一部をＡＳＩＣやＦＰＧＡなどの回路で構成してもよい。
【００３０】
選定部Ａ１１１は、取得部１０２ａ〜１０２ｄで取得された付加情報に基づいて、設定可能な複数の表示方法の中で、入力された映像信号に基づいて画像を表示することが可能な表示方法を特定する特定処理を実行する。
【００３１】
選定部Ｂ１１２は、取得部１０２ａ〜１０２ｄで取得された付加情報に基づいて、特定処理で特定された表示方法のうち、映像の再現性が高い表示方法を対象表示方法としてさらに特定する処理を行う。ここで、選定部Ｂ１１２の処理は、特定処理で特定された表示方法のうちユーザが選択する可能性が高い表示方法を対象表示方法として特定するともい
える。
【００３２】
ＧＵＩ生成部１１３は、選定部Ｂ１１２が特定した対象表示方法のうちいずれかをユーザが選択するためのＧＵＩ（Ｇｒａｐｈｉｃａｌ  Ｕｓｅｒ  Ｉｎｔｅｒｆａｃｅ）を生成する。ＧＵＩ生成部１１３は、生成したＧＵＩを画像処理部１１５に出力する。ＧＵＩは、対象表示方法に対応するアイコンを一覧で表示したＧＵＩであるとする。また、ＧＵＩは、対象表示方法のいずれかを表示可能なダイヤル式の選択画像であってもよい。
【００３３】
設定部１１４は、表示部１０４に表示されたＧＵＩに基づいて、ユーザが操作部１０５を介して入力した操作、指示に基づいて、表示方法を設定する。具体的には、ユーザがＧＵＩに示された対象表示方法を示すアイコンのうち、いずれかを選択し、決定操作をすることにより、選択されたアイコンに対応する表示方法が設定される。設定部１１４は、設定された表示方法を示す情報を画像処理部１１５に出力する
【００３４】
画像処理部１１５は、設定された表示方法に基づいて、入力された映像信号を処理して表示画像信号を生成して、表示部１０４に出力する。また、画像処理部１１５は、ＧＵＩ生成部１１３から取得したＧＵＩを含む画像を表示部１０４に出力する。
【００３５】
以降で、表示制御部１１０の各機能ブロックの処理の詳細について説明する。
選定部Ａ１１１は、付加情報に含まれる伝送規格、信号フォーマット情報、メタデータ等の複数の情報を組み合わせて表示可能な表示方法を判定してもよい。例えば、入力部１０１ａ〜１０１ｄに入力された映像信号に付加された信号フォーマット情報の解像度が２Ｋ（１９２０×１０８０）であり、メタデータの解像度が４Ｋ（３８４０×２１６０）であるとする。この場合、選定部Ａ１１１は、４つの映像信号を用いたスクウェアディビジョンの複数信号映像が表示可能な表示方法であると特定する。入力された映像信号のそれぞれが、４分割された４Ｋ画像のうちの１つに相当する。
【００３６】
選定部Ｂ１１２は、映像信号に含まれる規格情報、映像の解像度及びフレームレート等の信号フォーマット情報、メタデータに記載された機器設定情報のうち、１又は複数の組合せに基づいて映像の再現性が高い表示方法を特定する。例えば、選定部Ｂ１１２は、４Ｋ映像の映像信号を受信した場合、２Ｋ映像に変換して表示する表示方法よりも４Ｋ映像の状態で表示する表示方法の方が映像の再現性が高いと判定する。また、選定部Ｂ１１２がフレームレートで再現性を判定する場合、信号情報のフレームレートが６０ＦＰＳであった場合、３０ＦＰＳで表示する表示方法よりも、６０ＦＰＳで表示する表示方法の方が映像の再現性が高いことになる。
【００３７】
また、選定部Ｂ１１２が伝送規格で再現性を判定する場合において、信号情報に伝送規格として「Ｄｕａｌ  Ｌｉｎｋ」又は「Ｑｕａｄ  Ｌｉｎｋ」が含まれていた場合、伝送規格に対応する複数信号映像表示の再現性が高いと判定してもよい。
また、信号情報に伝送規格が含まれない場合でも、所定時間あたりの伝送データ量が一定以上あり、複数の伝送路で伝送されたと推測される場合、複数信号映像表示の再現性が高いと判定してもよい。例えば、選定部Ｂ１１２は、４Ｋ映像の映像信号のフレームレートが３０ＦＰＳで送信された場合、一の伝送路で伝送されたと推測されるため、単一信号映像表示を選定する。一方で、選定部Ｂ１１２は、４Ｋ映像の映像信号のフレームレートが６０ＦＰＳで送信された場合、複数の伝送路で伝送されたと推測されるため、複数信号映像を選定する。
【００３８】
また、選定部Ｂ１１２が規格情報と映像の解像度の組合せで再現性を判定する場合、例えば、伝送規格に対応する表示方法の再現性が高いと判定する。続いて、選定部Ｂ１１２は、伝送規格に対応する表示方法の中で映像の解像度が高い表示方法の再現性の方が、伝
送規格に対応する表示方法の中の他の表示方法よりも高いと判定する。なお、選定部Ｂ１１２は、これ以外の組合せに基づいて再現性を判定してもよい。
【００３９】
また、ＲＡＷデータ又は通常のデータとして表示可能な場合、選定部Ｂ１１２は、ＲＡＷデータとして表示する表示方法の方が、再現性がより高いと判定し、ＲＡＷデータとして表示する表示方法を選定してもよい。
【００４０】
また、選定部Ｂ１１２は、表示装置１００が受信した映像信号の中に複数の同一の映像信号が含まれる場合、単一信号映像表示としては、複数の同一の映像信号の中の１の映像信号のみを選定してもよい。すなわち、選定部Ｂ１１２は、複数の同一の映像信号の中の他の映像信号を用いた単一信号映像表示を選定しなくてもよい。同一の映像信号のいずれを表示しても同じ映像が表示されるため、いずれか１つの単一信号映像表示を選定すれば十分であるためである。
また、選定部Ｂ１１２は、表示装置１００が受信した映像信号の中に複数の同一の映像信号が含まれる場合、その複数の同一の映像信号のＰｂｙＰ表示を選定しなくてもよい。ＰｂｙＰ表示で表示した場合、同じ画像が並列に表示されることになり、有用性が低いためである。なお、図４Ｃは、入力された複数の同一の映像信号に基づく画像を並列に並べて表示した場合を示した模式図である。
【００４１】
また、選定部Ｂ１１２は、メタデータの送出機器ＩＤ（識別情報）及び送出端子の種別（種別情報）が同一であった場合に同一の映像信号と判定してもよい。本実施例では、選定部Ｂ１１２が各映像信号の付加情報を比較し、メタデータの送出機器ＩＤ及び送出端子の種別が同一である２つの映像信号が存在した場合に、当該２つの映像信号が同一の映像信号であると判定する。
さらに選定部Ｂ１１２は、フレームレート等の追加条件を用いて同一の映像信号であるか否かを判定してもよい。これにより、同一の映像信号であるか否かの判定の精度を向上する。例えば、選定部Ｂ１１２は、映像信号が４Ｋ映像で機器設定（フレームレート）が３０Ｐ以下という追加条件を用いて同一の映像信号であるか否かを判定してもよい。４Ｋ映像でフレームレートが３０Ｐ以下であれば、１の伝送路で映像信号を伝送することが可能であるためである。一方、４Ｋ映像でフレームレートが６０Ｐの場合、少なくとも２つの伝送路で映像信号を伝送する必要があるため、同一映像と判定しない。
なお、同一の映像信号であるか否かの判定方法はこれ以外の方法であってもよく、例えば、映像を識別するための映像ＩＤ等に基づいて判定してもよい。
【００４２】
また、選定部Ｂ１１２は、異なる映像の映像信号が複数含まれる場合にＰｂｙＰ表示で表示可能と判定する。例えば、選定部Ｂ１１２は、異なる送出機器ＩＤの送出装置によって複数の映像信号が入力された場合に異なる映像が入力されたものとし、ＰｂｙＰ表示で表示可能と判定してもよい。
なお、選定部Ｂ１１２は、映像信号の信号フォーマット情報を参照し、表示可能な表示方法がないと判定した場合、表示部１０４にエラー画面を表示させてもよい。
【００４３】
（表示方法の選択）
図５は、実施例１の表示装置１００における表示方法の選択処理の流れの例を示す図である。図５の処理は、表示装置１００の電源がＯＮとなってから定期的に実行されるものとする。
ステップＳ５００で表示制御部１１０は、映像の表示方法の設定変更を開始する指示を操作部１０５が受付けた場合、ステップＳ５０１の処理に移行する。一方、表示制御部１１０は、映像の表示方法の設定変更を開始する指示を受付けつけなかった場合、表示方法を変更せずに映像を表示させる（ステップＳ５０６）。なお、ユーザによる表示方法の選択がまだ一度も行われていなかった場合（例えば表示装置１００の起動時など）、ステッ
プＳ５０６で表示制御部１１０は既定の表示方法で映像を表示させるものとする。
【００４４】
ステップＳ５０１で、表示制御部１１０の選定部Ａ１１１が、入力映像信号に付加されている付加情報に基づいて、表示可能な表示方法を特定する。次にステップＳ５０２で、表示制御部１１０の選定部Ｂ１１２が、ステップＳ５０１の特定処理で特定された表示方法の中から、ユーザに選択候補として提示する表示方法（対象表示方法）を選定する。すなわち、ステップＳ５０２において、表示方法の絞り込みが行われる。ステップＳ５０１及びステップＳ５０２の処理の詳細は後述する。次に、ステップＳ５０３において、ＧＵＩ生成部１１３が、ステップＳ５０２での選定結果に基づいて選択画像を生成し、画像処理部１１５が選択画像をＯｎ  Ｓｃｒｅｅｎ  Ｄｉｓｐｌａｙ（ＯＳＤ）画像として画面に表示する。選択画像は、選定された複数の対象表示方法を一覧表示し、それらの中からユーザに所望の表示方法を選択させるためのＧＵＩに用いるための画像である。ユーザが操作部１０５を利用していずれかの表示方法を選択すると、ステップＳ５０４で表示制御部１１０の設定部１１４が表示方法が選択（変更）されたことを検知し、選択された表示方法の映像に切り替える制御を行う（ステップＳ５０５）。一方、ユーザによる表示方法の選択（変更）がなかった場合は、表示方法の変更は行わない（ステップＳ５０６）。
【００４５】
（表示可能な表示方法の特定処理）
図６を参照して、ステップＳ５０１における表示方法の特定処理の詳細を説明する。
ステップＳ６０１で取得部１０２ａ〜１０２ｄは、入力部１０１ａ〜１０１ｄにそれぞれ入力された映像信号から付加情報を取得し、選定部Ａ１１１及び選定部Ｂ１１２に送信する。
ステップＳ６０２で選定部Ａ１１１は、付加情報に含まれる信号フォーマット情報に基づいて表示装置１００が対応可能な信号フォーマットか否かを判定する。選定部Ａ１１１は、対応可能な映像信号である場合、ステップＳ６０３の処理に移行し、対応できない映像信号の場合、ステップＳ６０８の処理に移行する。ステップＳ６０８では、表示不可という内容のエラーメッセージを含むＯＳＤ画像を画面に表示する。例えば、表示装置１００が対応していない伝送規格の映像信号を受信した場合等に、ステップＳ６０８の処理が行われる。
【００４６】
入力映像信号が対応可能な映像信号であった場合、ステップＳ６０３で選定部Ａ１１１は、当該映像信号の「単一信号映像表示」を、表示可能な表示方法のリスト（以下「表示方法リスト」と称す）に追加する。単一信号映像表示は、入力された１の映像信号のみを用いて、画像を表示する表示方法である。入力部１０１に対して複数の映像信号が入力されている場合には、各々の映像信号の単一信号映像表示が表示方法リストに追加されることとなる。
ステップＳ６０４で選定部Ａ１１１は、映像信号の付加情報に含まれる伝送規格に基づいて複数信号映像を表示可能な映像信号が含まれている否かを判定する。複数信号映像表示は、複数の映像信号を用いて１つの画像を表示する表示方法である。伝送規格が「Ｄｕａｌ  Ｌｉｎｋ」、「Ｑｕａｄ  Ｌｉｎｋ」等の場合、選定部Ａ１１１は、複数信号映像表示が可能と判定する。複数信号映像表示が可能な場合、選定部Ａ１１１は、ステップＳ６０５において複数信号映像表示を表示方法リストに追加する。
【００４７】
ステップＳ６０６で選定部Ａ１１１は、入力されている映像信号でＰｂｙＰ表示が可能か否かを判定する。例えば、選定部Ａ１１１は、異なる映像信号が複数含まれる場合、ＰｂｙＰ表示が可能と判定する。ＰｂｙＰ表示は、複数の映像信号のうち１以上の映像信号に対応する画像と、他の映像信号に対応する画像とを、画面内に並べて表示する表示方法である。
ＰｂｙＰ表示が可能な場合、選定部Ａ１１１は、ステップＳ６０７においてＰｂｙＰ表示を表示方法リストに追加する。なお、以下では、ＰｂｙＰ表示で表示された映像をＰｂ
ｙＰ映像という。
【００４８】
（対象表示方法の選定処理）
図７を参照して、ステップＳ５０２における対象表示方法の選定処理の詳細を説明する。
ステップＳ７００において、表示制御部１１０の選定部Ｂ１１２は、付加情報に基づいて複数信号映像を表示可能な映像信号が含まれている否かを判定する。あるいは、選定部Ｂ１１２は、選定部Ａ１１１により生成された表示方法リストを用いて複数信号映像の有無を判定してもよい。複数信号映像がある場合、選定部Ｂ１１２は、複数信号映像を構成する映像信号の「単一信号映像表示」を表示方法リストから削除する（ステップＳ７０１）。例えば、映像信号Ａと映像信号ＢからなるＤｕａｌ  Ｌｉｎｋの入力がある場合であれば、映像信号Ａと映像信号Ｂからなる「複数信号映像表示」を残し、個々の映像信号Ａ、Ｂの「単一信号映像表示」はリストから除外される。
【００４９】
ステップＳ７０２において、選定部Ｂ１１２は、付加情報に基づいて、複数の入力映像信号のなかに同一の映像信号が含まれているか否かを判定する。同一の映像信号がある場合、選定部Ｂ１１２は、ステップＳ７０３において、それらの映像信号の中の１つの映像信号の単一信号映像表示を残し、他の映像信号の単一信号映像表示をリストから除外する。
【００５０】
（効果）
以上のように処理することで有用性の低い表示方法が除外され、ユーザが選択する可能性の高い表示方法だけが表示されるようになるので、使用する表示方法を選択する手間が軽減する。
例えば、従来では、ＱｕａｄＶｉｅｗの複数信号映像表示で用いられる４つの映像信号のうちの１つの映像信号で画像を表示することも可能であるため、複数信号映像表示及び単一信号映像表示が設定画像に表示されていた。しかしながら、単一信号映像表示で表示した場合、複数信号映像表示で表示する場合よりも画質が低くなるため、単一信号映像表示の有用性は低い。
本実施例の処理で選定された設定候補の一覧を設定画像として表示することで、複数信号映像の設定候補（アイコン）のみが表示されるようになる。これにより、設定候補を選択し直す手間を軽減し、より利用しやすいユーザインタフェースとすることができる。
【００５１】
図４Ａ〜図４Ｄは、実施例１と従来例の表示例を示す図である。図４Ｂ及び図４Ｄが本実施例の表示例であり、図４Ａ及び図４Ｃが従来例の表示例である。なお、図４Ａ及び図４Ｂでは映像の表示を省略し、設定画像のみ示している。
図４ＡのＳｉｎｇｌｅＡ、ＳｉｎｇｌｅＢ、ＳｉｎｇｌｅＣ及びＳｉｎｇｌｅＤのアイコンは、映像信号Ａ、映像信号Ｂ、映像信号Ｃ及び映像信号Ｄを用いた単一信号映像表示を示している。また、ＱｕａｄＶｉｅｗ（ＡＢＣＤ）のアイコンは、映像信号Ａ〜Ｄを用いたＱｕａｄＶｉｅｗ（複数信号映像表示）を示している。また、図３ＣのＰｂｙＰ（ＡＢ）のアイコンは、映像信号Ａ及び映像信号Ｂを用いたＰｂｙＰ表示を示すものとする。
【００５２】
従来例の図４ＡのＯＳＤ画像２０Ａ’には、ＳｉｎｇｌｅＡ、ＳｉｎｇｌｅＢ、ＳｉｎｇｌｅＣ、ＳｉｎｇｌｅＤ及びＱｕａｄＶｉｅｗ（ＡＢＣＤ）のアイコンが表示されている。これに対して、本実施例の図４ＢのＯＳＤ画像２０Ａには、ＱｕａｄＶｉｅｗ（ＡＢＣＤ）のアイコンのみが表示されている。本実施例のＯＳＤ画像２０Ａのように表示することで、ユーザが誤ってＳｉｎｇｌｅＡ、ＳｉｎｇｌｅＢ、ＳｉｎｇｌｅＣ及びＳｉｎｇｌｅＤのアイコンを選択し、低画質の表示方法で表示することを抑制することができる。
このように本実施例によれば、映像の再現性が高い有用な表示方法のアイコンのみが表示されるようになるため、誤って有用でない表示方法を使用することを抑制することがで
きる。
【００５３】
図４Ｃ及び図４Ｄでは、表示装置１００が同一の２つの映像信号を受信したものとする。従来例の図４Ｃの左側のＯＳＤ画像２０Ｂ’には、ＳｉｎｇｌｅＡ及びＳｉｎｇｌｅＢと、ＰｂｙＰ（ＡＢ）のアイコンが表示されており、現在ＳｉｎｇｌｅＡのアイコンが選択されているものとする。ユーザがＰｂｙＰ（ＡＢ）を選択すると、左右に同じ映像のＰｂｙＰ映像３０’が表示されることになる。
一方で、図４ＤのＯＳＤ画像２０Ｂには、ＳｉｎｇｌｅＡのアイコンのみが表示される。したがって、ユーザが誤ってＰｂｙＰ（ＡＢ）を選択しないようにすることができる。また、ＳｉｎｇｌｅＡと同じ映像が表示されるＳｉｎｇｌｅＢのアイコンが表示されないので、ＯＳＤ画像がよりシンプルになり、使いやすいユーザインタフェースとすることができる。
【００５４】
映像信号が送信された場合の本実施例の処理について説明したが、静止画の画像信号が送信された場合に本実施例の処理を適用してもよい。
また、ＰｂｙＰ表示で表示可能な場合に、ＰｂｙＰ表示で使用する映像信号の組合せを指定できるようにしてもよい。例えば、映像信号Ａ〜Ｃの３つの映像信号が入力された場合、表示制御部１１０は、映像信号Ａ及びＢを表示するＰｂｙＰ（ＡＢ）、映像信号Ａ及びＣを表示するＰｂｙＰ（ＡＣ）、映像信号Ｂ及びＣを表示するＰｂｙＰ（ＢＣ）の設定候補をＯＳＤ画面に表示する。さらに、表示制御部１１０は、映像信号Ａ〜Ｃをすべて表示するＰｂｙＰ（ＡＢＣ）等の設定候補をＯＳＤ画面に表示してもよい。
また、図７のフローチャートでは、選定部Ｂ１１２は、単一信号映像表示、複数信号映像表示及びＰｂｙＰ表示のいくつかが設定候補としてＯＳＤ画面に表示されたが、表示される設定候補は、これに限定されない。例えば、選定部Ｂ１１２は、映像信号がＲＡＷデータであった場合、ＲＡＷデータの単一信号映像表示又は複数信号映像表示を設定候補として選定してもよい。また、選定部Ｂ１１２は、複数信号映像表示の解像度が４Ｋで、各映像信号の信号フォーマット情報に記載の解像度が２Ｋの場合、設定候補としてスクウェアディビジョン（ＳＱＤ）の複数信号映像表示を選定してもよい。
また、表示制御部１１０は、対象表示方法が最終的に１つの表示方法に絞り込まれた場合、当該表示方法を自動的に選択し、当該表示方法で映像を表示させてもよい。
【００５５】
＜実施例２＞
本実施例では、実施例１に記載した方法で対象表示方法を選定した後に、優先度に応じて対象表示方法を並び替えて、ユーザに提示する処理を行う。以下、実施例１と異なる処理を行う部分についてのみ説明し、実施例１と同様の処理を行う部分に関しては、説明を省略する。
図８は、実施例２の表示装置１００の表示制御部１１０の構成を説明するための図である。本実施例では、表示制御部１１０が優先度決定部８００を有する点で実施例１と異なる。
選定部Ａ１１１及び選定部Ｂ１１２は、実施例１と同様の方法で対象表示方法を選定し、生成した表示方法リストを優先度決定部８００に出力する。
優先度決定部８００は、取得部１０２ａ〜１０２ｄで取得された信号情報に基づいて、選定部Ｂ１１２によって選定された各表示方法の優先度を決定し、表示方法リストの並べ替えを行った後、表示方法リストをＧＵＩ生成部１１３に送信する。表示方法の優先度は、例えば、送出機器の重要度順、表示方法の重要度順、使用される映像信号数が多い順、映像信号の伝送容量の順、映像信号の解像度の順、映像信号のフレームレートの順等で設定される。また、優先度決定部８００は、複数の情報を用いて表示方法の優先度を決定してもよい。なお、映像信号の伝送容量は、映像信号の解像度及びフレームレートに基づいて算出できる。
【００５６】
送出機器の重要度順に優先度を決定する場合、あらかじめ各送出機器の重要度が決められているものとする。この場合、優先度決定部８００は、重要度が高い送出機器から送信された映像信号の表示方法に対して高い優先度を与え、重要度が低い送出機器から送信された映像信号の表示方法に対して低い優先度を与える。
また、表示方法の重要度順で優先度を決定する場合、あらかじめ各表示方法に重要度が設定されているものとし、優先度決定部８００は、重要度が高い表示方法に高い優先度を与え、重要度が低い表示方法に低い優先度を与える。
また、使用される映像信号数が多い順に優先度を決定する場合、例えば、優先度決定部８００は、映像信号１又は映像信号２を用いた単一信号映像表示よりも、映像信号１及び２を用いた複数信号映像表示に高い優先度を与える。
【００５７】
また、優先度決定部８００は、入力された映像信号に適応する表示方法に、より高い優先度を与えてもよい。具体例について図９Ａ及び図９Ｂを用いて説明する。
図９Ａ及び図９Ｂは、優先度に応じて表示方法を並び替えた後の選択画像を例示した図である。端子Ａ〜Ｄは、入力部１０１ａ〜１０１ｄを示している。図９Ａ及び図９Ｂでは、表示装置１００は２Ｋ解像度でのみＰｂｙＰ表示で表示可能であるものとする。
４Ｋ解像度のＳＤＩ信号が入力された場合、そのままの状態で単一信号映像表示で映像を表示できるが、ＰｂｙＰ映像で表示するにはＳＤＩ信号を２Ｋ解像度に縮小する必要がある。したがって、優先度決定部８００は、ＰｂｙＰ表示に低い優先度を与え、より映像信号に適応する単一信号映像表示に高い優先度を与える。この場合、図９Ａの選択画像のようにリストの上位に４つの単一信号映像表示のアイコンが表示され、下位にＰｂｙＰ表示のアイコンが表示される。
【００５８】
一方で、２Ｋ解像度のＳＤＩ信号が入力された場合、そのままの状態でＰｂｙＰ映像として表示することができる。したがって、優先度決定部８００は、ＰｂｙＰ表示に高い優先度を与え、単一信号映像表示に低い優先度を与える。この場合、図９Ｂの選択画像のようにリストの上位にＰｂｙＰ表示のアイコンが表示され、下位に４つの単一信号映像表示のアイコンが表示される。
表示制御部８００は、図９Ａ及び図９Ｂのように、実施例１と同様の方法で選定された対象表示方法を優先度に応じて並び替えた後、表示方法の設定候補として画面に表示する。
【００５９】
図１０は、実施例２の表示制御部１００における選定部Ｂ１１２及び優先度決定部８００の処理の流れの例を示す図である。選定部Ｂ１１２の処理（ステップＳ７００〜Ｓ７０３）は実施例１の図７と同様の処理であるため、説明を省略する。ステップＳ１０００〜Ｓ１００３の処理が表示方法を優先度順に並び替える処理を示している。
【００６０】
ステップＳ１０００で優先度決定部８００は、使用される映像信号数が多い順に表示方法リストを並び替える。例えば、選定部Ｂ１１２によって単一信号映像表示及びＰｂｙＰ表示が選定された場合、優先度決定部８００は、ＰｂｙＰ表示の方が単一信号映像表示よりも、使用される映像信号数が多いのでＰｂｙＰ表示の優先度を高くする。
また、優先度決定部８００は、使用される映像信号数が同数の表示方法がある場合、それらの表示方法を入力部１０１の番号順に並び替えてもよい。例えば、選定部Ｂ１１２によって、使用される映像信号数が１の単一信号映像表示が４つ選定された場合、優先度決定部８００は、入力部１０１ａ、入力部１０１ｂ、入力部１０１ｃ、入力部１０１ｄの順に単一信号映像表示を並び替える。
【００６１】
ステップＳ１００１で優先度決定部８００は、入力された映像信号が４Ｋ解像度か否かを判定し、映像信号が４Ｋ解像度の場合、ステップＳ１００２の処理に移行し、２Ｋ解像度の場合、ステップＳ１００３の処理に移行する。なお、本実施例の表示装置１００では
、２Ｋ解像度でのみＰｂｙＰ映像が表示できるものとし、映像信号が４Ｋ解像度の場合、表示制御部１１０は、４Ｋ解像度の映像信号を２Ｋ解像度に変換してからＰｂｙＰ映像で表示するものとする。また、本実施例では、入力部１０１ａ〜１０１ｄには４Ｋ解像度か、２Ｋ解像度のいずれかの映像信号が入力されるものとする。
【００６２】
ステップＳ１００２では、優先度決定部８００は、単一信号映像表示が上位に、ＰｂｙＰ表示が下位になるように表示方法リストを並び替える。ＰｂｙＰ表示をするためには入力映像信号を低解像度化しなければならず、単一信号映像表示に比べて品質（再現性）が低下するからである。一方で、ステップＳ１００３では、優先度決定部８００は、ＰｂｙＰ表示が上位に、単一信号映像表示が下位になるように表示方法リストを並び替える。
以上のように、優先度順に表示方法を並び替えることで、より映像の再現性が高く有用な表示方法が選びやすくなり、利便性が向上する。
【００６３】
＜実施例３＞
本実施例では、複数信号映像表示で使われる映像信号のうちの一部の映像信号だけが入力部１０１に入力され、必要な映像信号の一部が不足している場合にも複数信号映像表示が選定される点で実施例１と異なる。なお、以下では、複数信号映像表示で使われる映像信号が一部不足している場合に表示される映像を不完全な複数信号映像という。
以下、実施例１と異なる処理を行う部分についてのみ説明し、実施例１と同様の処理を行う部分に関しては、説明を省略する。
【００６４】
図１１は、実施例３の表示装置１００の表示制御部１１０の構成を説明するための図である。本実施例では、表示制御部１１０が特定部１１００を有する点で実施例１と異なる。
選定部Ａ１１１及び選定部Ｂ１１２は、複数信号映像表示で用いられる映像信号の中の一部の映像信号が入力された場合に、一部の映像信号を用いた複数信号映像表示と、一部の映像信号の中の１の映像信号を用いた単一信号映像表示の両方を選定する。
【００６５】
以下、選定部Ａ１１１及び選定部Ｂ１１２の処理に関して具体的に説明する。選定部Ａ１１１は、複数信号映像表示で使われる映像信号のうちの一部の映像信号が不足する場合にも、複数信号映像表示が表示可能な表示方法であると判定する。例えば、選定部Ａ１１１は、映像信号の伝送規格がＱｕａｄ  Ｌｉｎｋで、３つの映像信号しか入力されなかった場合にも、複数信号映像が表示可能な表示方法であると判定することになる。
また、選定部Ｂ１１２は、不完全な複数信号映像表示と、不完全な複数信号映像で使用される映像信号の中の１の映像信号を用いた単一信号映像表示とを、対象表示方法として選定する。したがって、完全な状態の複数信号映像が選定された場合、実施例１で説明したように単一信号映像表示が除外されるのに対し、不完全な複数信号映像が選定された場合、単一信号映像表示が除外されないことになる。これは、複数信号映像表示で用いられる映像信号が一部不足する場合、ユーザが単一信号映像表示を選択することもあるためである。
【００６６】
特定部１１００は、複数信号映像表示で用いられる映像信号の中の一部の映像信号だけが入力部１０１に入力され、必要な映像信号の一部が不足する場合に、不足する映像信号を特定する。例えば、特定部１１００は、映像信号１、３及び４の伝送規格がＱｕａｄ  Ｌｉｎｋで、映像信号２が異なる伝送規格であった場合、映像信号２が不足する映像信号であるものとして特定する。
表示制御部１１０は、不完全な複数信号映像が選定された場合、複数信号映像のアイコンと、不完全な複数信号映像で使用される各映像信号を用いた単一信号映像のアイコンとを含む選択画像を表示する。さらに、表示制御部１１０は、不足する映像信号を判別できるように選択画像を表示させる。
【００６７】
図１２Ａ及び図１２Ｂは、本実施例の選択画像の表示例を示す図である。図１２Ａは、複数信号映像表示（Ｑｕａｄ  Ｌｉｎｋ）で使用される映像信号が全て入力された場合の選択画像の例である。図１２Ｂは、映像信号Ｂが不足している場合の選択画像の例である。端子Ａ〜Ｄは、入力部１０１ａ〜１０１ｄを示している。
例えば、複数信号映像表示（Ｑｕａｄ  Ｌｉｎｋ）で使用される４つの映像信号が入力部１０１ａ〜１０１ｄに入力された場合、選定部Ｂ１１２は、複数信号映像表示を対象表示方法として選定し、単一信号映像表示は選定しない。この場合、画面に表示される選択画像には、図１２Ａのように、複数信号映像表示のアイコンのみ表示され、単一信号映像表示のアイコンは表示されない。
【００６８】
一方で、入力部１０１ａ、１０１ｃ及び１０１ｄに複数信号映像表示（Ｑｕａｄ  Ｌｉｎｋ）で用いられる各映像信号が入力され、入力部１０１ｂに他の映像信号が入力され、映像信号が１つ不足している状態を想定する。この場合、選定部Ｂ１１２は、複数信号映像表示及び各端子の単一信号映像表示を対象表示方法として選定する。画面に表示される選択画像には、図１２Ｂのように、複数信号映像表示のアイコンと、各端子の単一信号映像表示のアイコンとが表示される。さらに、選択画像では、複数信号映像表示のアイコンの「Ｂ」部分に、不足を示すマーク（例えば×マーク）が表示される。これにより、不足している映像信号をユーザが容易に特定することができるようになる。
なお、表示制御部１１０は、不足する映像信号に対応する部分をグレーアウト、色分け、網掛け等して設定画像に示してもよい。また、表示制御部１１０は、「映像信号Ｂ不足」等のように、不足している映像信号を示してもよい。
【００６９】
図１３は、実施例３の表示制御部１００における選定部Ｂ１１２及び特定部１１００の処理の流れの例を示す図である。選定部Ｂ１１２の処理（ステップＳ７００〜Ｓ７０３）は実施例１の図７と同様の処理であるため、説明を省略する。なお、選定部Ａ１１１の処理において、上記のとおり、不完全な複数信号映像が入力された場合に、表示可能な表示方法として、複数信号映像表示と各映像信号の単一信号映像表示が選ばれるものとする。
【００７０】
ステップＳ１３００で選定部Ｂ１１２は、表示方法リストに複数信号映像表示が含まれている場合に、それが完全な複数信号映像表示か不完全な複数信号映像表示かを判定する。選定部Ｂ１１２は、複数信号映像表示で用いられる全ての映像信号が入力されている場合、完全な状態で複数信号映像表示ができるものとしてステップＳ７０１に移行する。ステップＳ７０１で選定部Ｂ１１２は、表示方法リストから単一信号映像表示を除外する。
一方で、選定部Ｂ１１２は、複数信号映像表示で用いられる一部の映像信号が不足する場合は、表示方法リストから単一信号映像表示を除外せずに、ステップＳ１３０１の処理に移行する。ステップＳ１３０１で、特定部１１００は、不足する映像信号を特定し、不足する映像信号を示すマークを選択画像に付す。
【００７１】
このように、本実施例では複数信号映像表示で用いられる映像信号が不足する場合、複数信号映像の設定候補と単一信号映像の設定候補を選択できるようにする。両方選択できるようにすることで、必要に応じて単一信号映像表示に切り替えることができるため、利便性が向上する。また、不足する映像信号を示す情報が選択画像に表示されるようになるため、ユーザが不足する映像信号を容易に特定することができる。
【００７２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００７３】
また、上述の実施形態の機能を実現するソフトウェアのプログラムを、記憶媒体から直
接、或いは有線／無線通信を用いてプログラムを実行可能なコンピュータを有するシステム又は装置に供給し、プログラムを実行して表示装置を制御する場合も本発明に含む。
従って、本発明の機能処理を装置で実現するために、該装置に供給、インストールされるプログラムコード自体も本発明を実現するものである。つまり、本発明の機能処理を実現するためのプログラム自体も本発明に含まれる。
その場合、プログラムの機能を有していれば、オブジェクトコード、インタプリタにより実行されるプログラム、ＯＳに供給するスクリプトデータ等、プログラムの形態を問わない。
【００７４】
プログラムを供給するための記憶媒体としては、例えば、ハードディスク、磁気テープ等の磁気記憶媒体、光／光磁気記憶媒体、不揮発性の半導体メモリでもよい。また、プログラムの供給方法としては、ネットワーク上のサーバに本発明を形成するプログラムを記憶し、接続のあったクライアントコンピュータがコンピュータプログラムをダウンロードして実行するような方法も考えられる。
【符号の説明】
【００７５】
１０：撮像装置、１００：表示装置、１００ａ〜１００ｄ：入力部、１０２ａ〜１０２ｄ：取得部、１０４：表示部、１０５：操作部（指示部）、１１０：表示制御部
【図１】
2019168600.tif 000003
【図２】
2019168600.tif 000004
【図３】
2019168600.tif 000005
【図４】
2019168600.tif 000006
【図５】
2019168600.tif 000007
【図６】
2019168600.tif 000008
【図７】
2019168600.tif 000009
【図８】
2019168600.tif 000010
【図９】
2019168600.tif 000011
【図１０】
2019168600.tif 000012
【図１１】
2019168600.tif 000013
【図１２】
2019168600.tif 000014
【図１３】
2019168600.tif 000015